(57)【要約】【課題】機器同士を近づければ、自動的に接続を開始し、また、待機モードからのウェイクアップ機能および機器接続状態を検出する機能を持つ、高機能な光ワイヤレス通信装置を提供する。【解決手段】ホスト機器２の制御回路２４は、発光素子２１を断続的に駆動して波長λ１の光信号Ｌ１を断続的に出力させ、光信号Ｌ１の応答としてスレーブ機器３からたとえば波長λ２の光信号を受光素子２３で受信したことを認識すると、発光素子２２を駆動して波長λ２の光信号Ｌ２を出力させ、スレーブ機器との通信を開始する、等の制御を行う。  制御回路２４は、波長λ１の光信号Ｌ１を断続的に出力し、波長λ１の光信号Ｌ１がスレーブ機器３からの波長λ１の光を受光素子３３で受光してその存在を監視し、スレーブ機器３の存在監視（取り外されたかどうかの確認）に利用する。【選択図】図１
2008017412.tif 000002
【特許請求の範囲】
【請求項１】
通信を管理するホスト側となる第１機器と、
スレーブ側となり、主電源をオフとする待機状態をとる第２機器とを有し、
上記第１機器は、
第１波長の光信号を出力する第１発光素子と、
上記第１波長と異なる光信号を出力する第２発光素子と、
上記第２機器からの光信号を受光し光電変換する第１受光素子と、
制御回路と、を有し、
上記第２機器は、
上記第１機器から出力された光信号を受光し光電変換する第２受光素子と、
上記第２波長の光信号を発光する第３発光素子と、
上記第２受光素子で上記第１機器から出力された第１波長の光信号を受信したことを認識すると、待機状態からウェイクアップさせる起動回路と、
上記起動回路により起動されると第２発光素子を駆動して第２波長の光信号を出力させ、上記第２機器と通信処理可能な機能ブロックと、を有し、
上記第１機器の制御回路は、
上記第１発光素子を駆動して第１波長の光信号を出力させ、当該光信号の応答として上記第２機器からの光信号を上記第１受光素子で受信したことを認識すると、上記第２発光素子を駆動して第２波長の光信号を出力させ、上記第１機器との通信を開始するように制御する
光ワイヤレス通信装置。
【請求項２】
上記第１機器の制御回路は、
上記第１波長の光信号を断続的に出力し、
上記第１波長の光信号が上記第２機器で反射された反射光を上記第１受光素子で受光して上記第２機器の存在を監視する
請求項１記載の光ワイヤレス通信装置。
【請求項３】
上記第１波長の光信号を発光する上記第１発光素子は、高出力あるいは高効率であり、
上記第２波長の光信号を発光する上記第２および第３発光素子は高速変調が可能である
請求項１記載の光ワイヤレス通信装置。
【請求項４】
上記第２機器は、
上記第１波長の光信号を発光する第４発光素子を有し、
上記機能ブロックは、起動後、上記第４発光素子を駆動して第１波長の光信号を断続的に出力し、
上記第１機器の制御回路は、
上記第２機器からの第１波長の光信号を第１受光素子で受光して上記第２機器の存在を監視する
請求項１記載の光ワイヤレス通信装置。
【請求項５】
上記第１受光素子は、第１波長の光には受光感度が高く、第２波長の光には受光感度が低い受光素子と、第２波長の光には受光感度が高く、第１波長の光には受光感度が低い受光素子と、を含み、
上記第２受光素子は、第１波長の光には受光感度が高く、第２波長の光には受光感度が低い受光素子と、第２波長の光には受光感度が高く、第１波長の光には受光感度が低い受光素子と、を含む
請求項１記載の光ワイヤレス通信装置。
【請求項６】
上記第１受光素子は、第１波長の光には受光感度が高く、第２波長の光には受光感度が低い受光素子と、第２波長の光には受光感度が高く、第１波長の光には受光感度が低い受光素子と、を含み、
上記第２受光素子は、第１波長の光には受光感度が高く、第２波長の光には受光感度が低い受光素子と、第２波長の光には受光感度が高く、第１波長の光には受光感度が低い受光素子と、を含む
請求項４記載の光ワイヤレス通信装置。
【請求項７】
上記第１機器は、
照度センサを有し、当該照度センサで検出した照度が所定値以下になると、上記第１発光素子を駆動して第１波長の光信号を発光する
請求項１記載の光ワイヤレス通信装置。
【請求項８】
上記第１機器は、上記照度センサで検出した照度情報を蓄積してしきい値を演算し、最新に検出した照度が当該しきい値より低い場合に上記第１発光素子を駆動して第１波長の光信号を発光する
請求項７記載の光ワイヤレス通信装置。
【請求項９】
上記第１波長に可視光波長を使用し、上記照度センサが第１波長出力監視用受光素子の機能を兼ねる
請求項７記載の光ワイヤレス通信装置。
【請求項１０】
上記第２機器は、上記第１機器の第１波長の光信号を受光した光量を検出し、当該検出量に応じた信号を出力する
請求項１から９のいずれか一に記載の光ワイヤレス通信装置。
【請求項１１】
上記第１機器は、上記第２機器の存在監視のために断続的に出力される上記第１波長の光信号が、存在監視のための出力がされていない期間を使って、当該第１波長の光信号でデータを送信する
請求項２記載の光ワイヤレス通信装置。
【請求項１２】
上記第１波長の光信号を用いて、データ通信と同期したクロックを送信する
請求項５または６記載の光ワイヤレス通信装置。
【発明の詳細な説明】
【技術分野】
【０００１】
本発明は、たとえば、パーソナルコンピュータ等のホスト機器と携帯電話端末等の携帯情報機器（スレーブ機器）との間で所定波長の光による通信を行う光ワイヤレス通信装置に関するものである。
【背景技術】
【０００２】
たとえば、特許文献１において、光ワイヤレス通信での待機状態から起動方法が開示されている。
【０００３】
この方法は、受信動作のために必要な電力を、ワイヤレス通信ポートからの電力伝送分を蓄積しておいて、まかなうように構成されている。
また、この方法は、リモートコントローラ（リモコン）のボタンを押すことで電力伝送が始まるものであり、ボタンを押さなければ通信が開始されないように構成されている。
【特許文献１】特開２００２−１６９８２号公報
【発明の開示】
【発明が解決しようとする課題】
【０００４】
しかしながら、特許文献１に開示された技術では、受信動作のために必要な電力を、ワイヤレス通信ポートからの電力伝送分を蓄積しておいて、まかなうものであり、非現実的である。一般的に、リモコンの通常の使い方で許される時間の中で蓄積できるほどの電力を伝送することはできない。
【０００５】
また、上述した方法は、リモコンのボタンを人間が押すことで電力伝送が始まるものであり、ボタンを押さなければ通信が開始されない、すなわち、ボタンを押さなければ、機器間の接続・認証が開始されないという不利益がある。
【０００６】
本発明は、機器同士を近づければ、自動的に接続を開始し、また、待機モードからのウェイクアップ機能および機器接続状態を検出する機能を持つ、高機能な光ワイヤレス通信装置を提供することにある。
【課題を解決するための手段】
【０００７】
本発明の観点の光ワイヤレス通信装置は、通信を管理するホスト側となる第１機器と、スレーブ側となり、主電源をオフとする待機状態をとる第２機器とを有し、上記第１機器は、第１波長の光信号を出力する第１発光素子と、上記第１波長と異なる光信号を出力する第２発光素子と、上記第２機器からの光信号を受光し光電変換する第１受光素子と、制御回路と、を有し、上記第２機器は、上記第１機器から出力された光信号を受光し光電変換する第２受光素子と、上記第２波長の光信号を発光する第３発光素子と、上記第２受光素子で上記第１機器から出力された第１波長の光信号を受信したことを認識すると、待機状態からウェイクアップさせる起動回路と、上記起動回路により起動されると第２発光素子を駆動して第２波長の光信号を出力させ、上記第２機器と通信処理可能な機能ブロックと、を有し、上記第１機器の制御回路は、上記第１発光素子を駆動して第１波長の光信号を出力させ、当該光信号の応答として上記第２機器からの光信号を上記第１受光素子で受信したことを認識すると、上記第２発光素子を駆動して第２波長の光信号を出力させ、上記第１機器との通信を開始するように制御する。
【０００８】
好適には、上記第１機器の制御回路は、上記第１波長の光信号を断続的に出力し、上記第１波長の光信号が上記第２機器で反射された反射光を上記第１受光素子で受光して上記第２機器の存在を監視する。
【０００９】
好適には、上記第２機器は、上記第１波長の光信号を発光する第４発光素子を有し、上記機能ブロックは、起動後、上記第４発光素子を駆動して第１波長の光信号を断続的に出力し、上記第１機器の制御回路は、上記第２機器からの第１波長の光信号を第１受光素子で受光して上記第２機器の存在を監視する。
【００１０】
好適には、上記第１受光素子は、第１波長の光には受光感度が高く、第２波長の光には受光感度が低い受光素子と、第２波長の光には受光感度が高く、第１波長の光には受光感度が低い受光素子と、を含み、上記第２受光素子は、第１波長の光には受光感度が高く、第２波長の光には受光感度が低い受光素子と、第２波長の光には受光感度が高く、第１波長の光には受光感度が低い受光素子と、を含む。
【発明の効果】
【００１１】
本発明によれば、機器同士を近づければ、自動的に接続を開始し、また、待機モードからのウェイクアップ機能および機器接続状態を検出する機能を持つ、高機能な光ワイヤレス通信装置を実現できる。
【発明を実施するための最良の形態】
【００１２】
以下、本発明の実施形態を添付図面に関連付けて説明する。
【００１３】
＜第１実施形態＞
図１は、本発明の第１の実施形態に係る光ワイヤレス通信装置の構成例を示す図である。
【００１４】
本光ワイヤレス通信装置１は、基本的に、通信を管理するホスト（マスタ）となるホスト機器（第１機器）２と、スレーブとなるスレーブ機器（第２機器）３とを含んで構成される。
【００１５】
ホスト機器２は、それぞれ異なる波長の光を出力する複数（本実施形態では２）の発光素子２１，２２と、スレーブ機器３からの光信号を受光し光電変換する第１受光素子２３と、制御回路２４とを有する。
【００１６】
第１発光素子２１は、制御回路２４の制御の下、たとえば波長λ１の光Ｌ１を発光する。
第２発光素子２２は、制御回路２４の制御の下、波長λ１とは異なる波長λ２の光Ｌ２を発光する。
【００１７】
制御回路２４は、発光素子２１，２２の発光制御を行う。
制御回路２４は、たとえば発光素子２１を断続的に駆動して波長λ１の光信号Ｌ１を断続的に出力させ、光信号Ｌ１の応答としてスレーブ機器３からたとえば波長λ２の光信号を受光素子２３で受信したことを認識すると、発光素子２２を駆動して波長λ２の光信号Ｌ２を出力させ、スレーブ機器との通信を開始する、等の制御を行う。
制御回路２４は、波長λ１の光信号Ｌ１を断続的に出力し、波長λ１の光信号Ｌ１がスレーブ機器３で反射されたもの（λ１反射光）を受光素子２３で受光してその存在を監視し、スレーブ機器３の存在監視（取り外されたかどうかの確認）に利用する。
【００１８】
スレーブ機器３は、ホスト機器２から出力された波長λ１，λ２の光を受光し光電変換する（または受光した光を反射する）第２受光素子３１と、波長λ２の光Ｌ３を発光する第３発光素子３２と、受光素子３１でホスト機器２から出力された波長λ１の光信号を受信したことを認識すると、待機状態にあったスレーブ機器３をウェイクアップさせる起動回路３３と、起動回路３３によりで起動されると第３発光素子３２を駆動して波長λ２の光信号Ｌ３をホスト機器２に出力させ、この光信号Ｌ３を使ってホスト機器２との通信処理を行う機能ブロック３４と、を有する。
【００１９】
このように、図１の光ワイヤレス通信装置１において、ホスト（マスタ）機器２は、波長の異なる（λ１、λ２）発光素子２１，２２を少なくとも二つ持ち、スレーブ機器３は、波長が少なくともλ２の発光素子３２を持つ。
すなわち、ホスト（マスタ）機器２側は波長λ１とλ２の光信号を使用し、スレーブ機器３側は波長λ２の光信号を使用する。
【００２０】
なお、波長λ１の光信号Ｌ１を出力する発光素子２１は高出力あるいは高効率であることを特徴とし、波長λ２の光信号Ｌ２，Ｌ３を出力する発光素子２２，３２は高速変調が可能であることを特徴とする。
【００２１】
図１の光ワイヤレス通信装置１において、ホスト機器２とスレーブ機器３とを接続するとき、スレーブ機器３は主電源をＯＦＦにした待機状態でもかまわない。
ホスト機器２は発光素子２１を駆動して波長λ１の光信号Ｌ１を出力する。この波長λ１の光信号Ｌ１を受けたスレーブ機器３では、受光素子３１で光電変換を行い、これにより、スレーブ機器３の起動回路３３を駆動する。すなわち、ホスト機器２がスレーブ機器３をウェイクアップする。待機状態から起動させる。
その後、機能ブロック３４が起動され、両機器間で波長λ２の光信号Ｌ２，Ｌ３で通信を行う。
ホスト機器２は波長λ１の光信号Ｌ１を断続的に出力し、波長λ１の光信号Ｌ１がスレーブ機器３で反射されたもの（λ１反射光）を受光素子３３で受光して制御回路２４で監視し、スレーブ機器３の存在監視（取り外されたかどうかの確認）に利用する。
【００２２】
以上説明したように、本実施形態によれば、光ワイヤレス通信装置１において、ホスト機器２は、波長の異なる（λ１、λ２）発光素子２１，２２を少なくとも二つ持ち、スレーブ機器３は、波長が少なくともλ２の発光素子３２を持ち、ホスト機器２の制御回路２４は、波長λ１の光信号Ｌ１を断続的に出力し、波長λ１の光信号Ｌ１がスレーブ機器３で反射されたもの（λ１反射光）を受光素子２３で受光してその存在を監視し、スレーブ機器３は、ホスト機器２から出力された波長λ１，λ２の光を受光し光電変換する受光素子３１と、波長λ２の光Ｌ３を発光する発光素子３２と、受光素子３１でホスト機器２から出力された波長λ１の光信号を受信したことを認識すると、待機状態にあっスレーブ機器３をウェイクアップさせる起動回路３３と、起動回路３３によりで起動されると発光素子３２を駆動して波長λ２の光信号Ｌ３をホスト機器２に出力させ、この光信号Ｌ３を使ってホスト機器２との通信処理を行う機能ブロック３４と、を有することから、機器同士を近づければ、自動的に待機状態からウェイクアップさせ、機器接続状態も監視する機能を実現できる。
【００２３】
＜第２実施形態＞
図２は、本発明の第２の実施形態に係る光ワイヤレス通信装置の構成例を示す図である。
【００２４】
本第２の実施形態の光ワイヤレス通信装置１Ａと第１の実施形態の光ワイヤレス通信装置１が異なる点は、スレーブ機器３Ａ側にも波長λ１の光を出力する発光素子３５を設け、スレーブ機器３Ａ側から波長λ１の光信号Ｌ４を断続的に出力して、その光信号Ｌ４を受光可能なホスト機器２Ａ側でスレーブ機器３の存在監視（取り外されたかどうかの確認）に利用するようにしたことにある。
【００２５】
図２の光ワイヤレス通信装置１Ａにおいて、ホスト機器２とスレーブ機器３とを接続するとき、スレーブ機器３は主電源をＯＦＦにした待機状態でもかまわない。
ホスト機器２Ａは発光素子２１を駆動して波長λ１の光信号Ｌ１を出力する。この波長λ１の光信号Ｌ１を受けたスレーブ機器３では、受光素子３１で光電変換を行い、これにより、スレーブ機器３Ａの起動回路３３を駆動する。すなわち、ホスト機器２がスレーブ機器３Ａをウェイクアップする。待機状態から起動させる。
その後、機能ブロック３４が起動され、両機器間で波長λ２の光信号Ｌ２，Ｌ３で通信を行う。
スレーブ機器３Ａは波長λ１の光信号Ｌ４を断続的に出力し、ホスト機器２Ａは波長λ１の光信号Ｌ４を受光素子３３で受光して制御回路２４で監視し、スレーブ機器３Ａの存在監視（取り外されたかどうかの確認）に利用する。
【００２６】
本第２の実施形態によれば、上述した第１の実施形態と同様に、機器同士を近づければ、自動的に待機状態からウェイクアップさせ、機器接続状態も監視する機能を実現できる。
【００２７】
＜第３実施形態＞
図３は、本発明の第３の実施形態に係る光ワイヤレス通信装置の構成例を示す図である。
【００２８】
本第３の実施形態の光ワイヤレス通信装置１Ｂと第１の実施形態の光ワイヤレス通信装置１と異なる点は、ホスト機器２Ｂに波長λ１の光には受光感度が高く、波長λ２の光には受光感度が低い受光素子２５と、波長λ２の光には受光感度が高く、波長λ１の光には受光感度が低い受光素子２３Ｂと、を設け、同様に、スレーブ機器３Ｂにおいて、波長λ１の光には受光感度が高く、波長λ２の光には受光感度が低い受光素子３６と、波長λ２の光には受光感度が高く、波長λ１の光には受光感度が低い受光素子３１Ｂと、を設けたことにある。
【００２９】
そして、波長λ１の光を用いてスレーブ機器３Ｂの存在監視（取り外されたかどうかの確認）を行う。
【００３０】
本第３の実施形態によれば、上述した第１の実施形態の効果に加えて、異なる波長λ１，λ２ごとに専用の素子を用いることから監視精度や通信処理の向上を図ることができるという利点がある。
【００３１】
＜第４実施形態＞
図４は、本発明の第４の実施形態に係る光ワイヤレス通信装置の構成例を示す図である。
【００３２】
本第４の実施形態の光ワイヤレス通信装置１Ｃと第２の実施形態の光ワイヤレス通信装置１Ａと異なる点は、ホスト機器２Ｃに波長λ１の光には受光感度が高く、波長λ２の光には受光感度が低い受光素子２６と、波長λ２の光には受光感度が高く、波長λ１の光には受光感度が低い受光素子２３Ｃと、を設け、同様に、スレーブ機器３Ｃにおいて、波長λ１の光には受光感度が高く、波長λ２の光には受光感度が低い受光素子３６と、波長λ２の光には受光感度が高く、波長λ１の光には受光感度が低い受光素子３１Ｃと、を設けたことにある。
【００３３】
そして、波長λ１の光を用いてスレーブ機器３Ｃの存在監視（取り外されたかどうかの確認）を行う。
【００３４】
本第４の実施形態によれば、上述した第２の実施形態の効果に加えて、異なる波長λ１，λ２ごとに専用の素子を用いることから監視精度や通信処理の向上を図ることができるという利点がある。
【００３５】
＜第５実施形態＞
図５は、本発明の第５の実施形態に係る光ワイヤレス通信装置の要部の構成例を示す図である。
【００３６】
本第５の実施形態は、上述した第１〜第４の実施形態においてスレーブ機器の通信可能領域にあるか否かを監視するために、照度センサを用いた例を示している。
ホスト機器のスレーブ機器の基本的な構成は上述した各実施形態と同様に併せ持っている。ただし、図５においては、理解を容易にするために、監視機能部のみを示している。
【００３７】
本光ワイヤレス通信装置１Ｄにおいて、ホスト機器２Ｄは、可視光波長領域に感度を持つフォトダイオードからなる照度センサ２７と、照度記録部２８と、機器接近検出部２９を有する。
【００３８】
この構成においては、スレーブ機器３Ｄが接近し、照度センサ２７への光を遮断して光量が減少し、暗くなったことを接近検出部２８で検出し、その検出結果に応答して上述波長λ１の光を出力する。
なお、ホスト機器２Ｄは照度センサ２７を用いて部屋の明るさを断続的に監視し部屋の明るさの情報を保持・更新を行う。その明るさから、スレーブ機器３Ｄの接近を検出するためのしきい値（暗さ）を演算する。このしきい値は波長λ１の光出力のきっかけとなる。
【００３９】
図６は、第５の実施形態に係るホスト機器の動作例を説明するためのフローチャートである。
なお、ここでは、ホスト機器およびスレーブ機器の基本的な、第１の実施形態と同等の構成を有するものとして説明する。
【００４０】
この場合、ホスト機器２Ｄは、たとえば機器が置かれている部屋の明るさを照度センサ２７で検出し（ＳＴ１）、照度記録部（メモリ）２９に記録し蓄積する（ＳＴ２）。
そして、たとえば過去１０回部の平均を２で除した値をしきい値とする（ＳＴ３）。
ここで、最新の照度値はしきい値より小さいか否かの判定を行う（ＳＴ４）。
ステップＳＴ４において、大きいと判定した場合には、ステップＳＴ１の処理に戻る。
一方、ステップＳＴ４において、最新値がしきい値より小さいと判定すると、スレーブ機器３Ｄが接近したものと判定し（ＳＴ５）、スレーブ機器起動用（ウェイクアップ用）の波長λ１の光信号Ｌ１を出力し（ＳＴ６）、所定時間経過後、波長λ１の光信号Ｌ１の出力を停止する（ＳＴ７）。
そして、スレーブ機器３Ｄが波長λ１の光信号Ｌ１を受光して起動回路３３で起動されて、機能ブロック３４により発光素子３２が駆動されて波長λ２の光信号Ｌ３が出力され、この信号をホスト機器２Ｄの受光素子２３で受光し、制御回路２３が認識すると（ＳＴ８）、波長λ２の光信号Ｌ２，Ｌ３による通信を開始する（ＳＴ９）。
所定時間経過すると（ＳＴ１０）、スレーブ機器３Ｄの存在を確認するために、波長λ１の光信号Ｌ１を出力し（ＳＴ１１）、所定時間経過後、波長λ１の光信号Ｌ１の出力を停止する（ＳＴ１２）。
そして、スレーブ機器３Ｄからの波長λ２の応答光信号の受信の有無、すなわち、スレーブ機器３Ｄが通信可能範囲から離れたか否かに判定を行い（ＳＴ１３）、スレーブ機器３Ｄがいなくなったと判定すると、通信切断処理を行う（ＳＴ１４）。
【００４１】
本第５の実施形態によれば、上述した各実施形態と同様に、機器同士を近づければ、自動的に接続を開始し、また、待機状態からウェイクアップさせ、機器接続状態も監視する機能を実現できる。
【００４２】
なお、λ１に可視光波長を使用し、照度センサ２７がλ１出力監視用受光素子の機能を兼ねることができる。
また、ホスト機器３Ｄは、太陽電池を持ち、太陽電池が照度センサの機能を兼ねるように構成することも可能である。
【００４３】
＜第６実施形態＞
図７は、本発明の第６の実施形態に係る光ワイヤレス通信装置の要部の構成例を示す図である。
【００４４】
本第６の実施形態においては、ホスト機器３Ｅが出力する波長λ１の光をスレーブ機器３Ｅで検出し、その検出量に応じて、スレーブ機器３Ｅにおいて、信号を出力する。
たとえば、音、あるいは、ＬＥＤの色、あるいはＬＥＤの点滅を変化させる。
この場合、波長λ１の光の検出量が増えるほど音を大きくする、明るい色にする、点滅を早くするなどの態様が可能である。
【００４５】
すなわち、本第６の実施形態においては、波長λ１の光の強度検出部３７と、強度表示部３８とを含んで構成されている。
ホスト機器のスレーブ機器の基本的な構成は上述した各実施形態と同様に併せ持っている。ただし、図７においては、理解を容易にするために、監視機能部のみを示している。
【００４６】
本第６の実施形態のような構成を採用することにより、スレーブ機器３Ｅをホスト機器２Ｅの発光素子の側に接近させる際に、発光素子の位置を見なくても、（手に持ったときに裏側にあって見えない場合であっても、近づけられることを特長とする。
すなわち、この機能は、「ホスト機器Ａとスレーブ機器Ｂの接続誘導機能と例えることができる。」
【００４７】
図８は、第６の実施形態に係るスレーブ機器の動作例を説明するためのフローチャートである。
なお、ここでは、ホスト機器およびスレーブ機器の基本的な、第２あるいは第４の実施形態と同等の構成を有するものとして説明する。
【００４８】
ホスト機器２Ｅが発光素子２１を駆動して波長λ１の光信号Ｌ１を出力する。この波長λ１の光信号Ｌ１を受けたスレーブ機器３では、受光素子３１で光電変換を行い、これにより、スレーブ機器３Ａの起動回路３３を駆動する。
このとき、スレーブ機器３Ｅをホスト機器２Ｅの発光素子の側に接近させる際に、波長λ１の光検出量が表示される（ＳＴ２１）。これにより、発光素子の位置を見なくても、的確にスレーブ機器３Ｅをホスト機器２Ｅの発光素子２１の配置領域に近づけることが可能である。
そして、ホスト機器２によりスレーブ機器３Ａをウェイクアップされ、スレーブ機器３Ｅが波長λ１の光信号Ｌ１を受光して起動回路３３で起動されて（ＳＴ２２）、機能ブロック３４により発光素子３２が駆動されて波長λ２の光信号Ｌ３が出力され（ＳＴ２３）、この信号をホスト機器２Ｅの受光素子２３で受光し、制御回路２３が認識すると（、波長λ２の光信号Ｌ２，Ｌ３による通信を開始する（ＳＴ２４）。
所定時間経過すると（ＳＴ２５）、スレーブ機器３は自身の存在を確認させるために、波長λ１の光信号Ｌ４を出力し（ＳＴ２６）、所定時間経過後、波長λ１の光信号Ｌ１の出力を停止する（ＳＴ２７）。
そして、スレーブ機器３Ｅからの波長λ１の応答光信号の受信の有無、すなわち、ホスト機器３Ｅから通信信号(λ２)の信号が来なくなったか否かに判定を行い(ＳＴ２８)、来なくなったと判定すると、待機モードに切り替える（ＳＴ２９）。
【００４９】
本第６の実施形態によれば、スレーブ機器３Ｅをホスト機器２Ｅの発光素子の側に接近させる際に、発光素子の位置を見なくても、（手に持ったときに裏側にあって見えない場合であっても、容易に近づけられることができる。
【００５０】
以上複数の実施形態について説明したが、採用する光は、通信動作を目視で確認できることから、波長λ１とλ２の少なくとも一つは可視光を使用することが望ましい。
第１例として、λ１は青色（４７０ｎｍ付近）、太陽電池はアモルファスシリコン、λ２は赤色（６５０ｎｍ付近）を採用できる。
また、第２例としてλ１は赤外（８５０ｎｍ付近）、太陽電池は結晶系シリコン、λ２は赤色（６５０ｎｍ付近）を採用できる。
【００５１】
また、スレーブ機器Ｂの存在監視のために断続的に出力される波長λ１の光であるが、存在監視のための出力がされていない期間を使って、波長λ１の光でデータを送信するように構成することも可能である。
これにより、λ１とλ２による波長多重通信が可能となり、通信容量を増加することができる。
【００５２】
また、波長λ１の光を用いて、データ通信と同期した低速なクロック(たとえば、データクロックの０．０１倍）を送信するように構成することも可能である。
【００５３】
また、応用例として、波長を二つ持つ機器Ａ同士でも、通信プロトコルで、ホストとスレーブの役割分担を決めることで、機器Ａ同士での通信も可能。たとえば、ＵＳＢのＯＴＧプロトコルにより可能である。
この場合も機器同士を近づければ、自動的に接続を開始し、また、待機状態からウェイクアップさせ、機器接続状態も監視する機能を持つ、高機能な光ワイヤレス通信装置を実現することができる。
【００５４】
また、本実施形態に係る光ワイヤレス通信装置１（１Ａ〜１Ｅ）は、ホスト機器２（２Ａ〜２Ｅ）をパーソナルコンピュータ等の情報処理装置に搭載し、スレーブ機器３（３Ａ〜３Ｅ）を携帯電話機や携帯音楽機器等の携帯端末に搭載することにより、機器同士を近づければ、自動的に接続を開始し、また、待機状態からウェイクアップさせ、機器接続状態も監視する機能を持つ、高機能な光ワイヤレス通信装置を実現することができる。
また、両機器の通信時には、ホスト機器２側から音楽情報や所定のアプリケーションにかかわるプログラム等をスレーブ機器側にダウンロードする等の処理を行うことができる。
【００５５】
図９は、スレーブ機器が搭載される携帯電話機の基本的な構成例を示すブロック図である。
【００５６】
本携帯電話機１１０は、図９に示すように、通信網を介してサーバとの無線通信処理を行う無線通信部１１１、液晶表示デバイス(ＬＣＤ)等により構成される表示部１１２、テンキー等の操作キーを含む操作部１１３、マイクロフォンやスピーカを有し音声入力処理または音声出力処理を行う音声処理部１１４、プログラムやメッセージデータ、アドレスデータ、ＩＣカード用データ等を記憶するメモリ部１１５、本実施形態のスレーブ機器３（３Ａ〜３Ｅ）が搭載される光通信装置１１６、および携帯電話機１１０の全体的な機能制御や光通信装置１１６の処理やそれに応じたメモリ部１１５へのアクセスを行う制御部（ＣＰＵ）１１７を有する。
【００５７】
この場合も機器同士を近づければ、自動的に接続を開始し、また、待機状態からウェイクアップさせ、機器接続状態も監視する機能を持つ、高機能な光ワイヤレス通信装置を実現することができる。
【図面の簡単な説明】
【００５８】
【図１】本発明の第１の実施形態に係る光ワイヤレス通信装置の構成例を示す図である。
【図２】本発明の第２の実施形態に係る光ワイヤレス通信装置の構成例を示す図である。
【図３】本発明の第３の実施形態に係る光ワイヤレス通信装置の構成例を示す図である。
【図４】本発明の第４の実施形態に係る光ワイヤレス通信装置の構成例を示す図である。
【図５】本発明の第５の実施形態に係る光ワイヤレス通信装置の構成例を示す図である。
【図６】第５の実施形態に係るホスト機器の動作例を説明するためのフローチャートである。
【図７】本発明の第６の実施形態に係る光ワイヤレス通信装置の要部の構成例を示す図である。
【図８】第６の実施形態に係るスレーブ機器の動作例を説明するためのフローチャートである。
【図９】スレーブ機器が搭載される携帯電話機の構成例を示すブロック図である。
【符号の説明】
【００５９】
１，１Ａ〜１Ｅ・・・光ワイヤレス通信装置、２，２Ａ〜２Ｅ・・・ホスト機器(第１機器)、２１，２２・・・発光素子、２３，２３ａ，２５・・・受光素子、２４・・・制御回路３，３Ａ〜３Ｅ・・・スレーブ機器（第２機器）、３１・・・受光素子、３２・・・発光素子、３３・・・起動回路、３４・・・機能ブロック。
【図１】
2008017412.tif 000003
【図２】
2008017412.tif 000004
【図３】
2008017412.tif 000005
【図４】
2008017412.tif 000006
【図５】
2008017412.tif 000007
【図６】
2008017412.tif 000008
【図７】
2008017412.tif 000009
【図８】
2008017412.tif 000010
【図９】
2008017412.tif 000011